(57)【要約】【課題】近い将来に破断することを、ユーザが予知できるタイミングベルト、及びタイミングベルトの製造方法を供給する。【解決手段】タイミングベルト１０に埋設された異音発生部材１６は、歯布１４の摩耗や、クラックの発生等によりベルト表面に露出すると、プーリ歯２８と接触して異音が生じる。タイミングベルト１０の表面の摩耗やクラックは、近い将来においてタイミングベルト１０の歯欠けや切断等の故障を引き起す。従って、タイミングベルト１０からの異音を検出してユーザに報知することにより、ユーザは、何らかの原因によるタイミングベルト１０の故障を予知できる。【選択図】図２
2008286402.tif 000002
【特許請求の範囲】
【請求項１】
歯部を形成する歯ゴムと、
前記歯部の表面を被覆する歯布と、
前記歯ゴムと前記歯布との間に、針金により形成された隙間を有するメッシュ状であり、前記歯ゴムおよび前記歯布に接着された異音発生部材とを備え、
前記異音発生部材が、前記歯布の摩耗によりタイミングベルトの表面に露出すると、プーリとの接触により異音を生じることを特徴とするタイミングベルト。
【請求項２】
前記歯ゴムと前記歯布との間に、有機金属塩を含むゴムにより形成される接着層をさらに有することを特徴とする請求項１に記載のタイミングベルト。
【請求項３】
前記異音発生部材が、有機金属塩を含むゴムにより接着処理を施されたことを特徴とする請求項１に記載のタイミングベルト。
【請求項４】
前記歯ゴムが、有機金属塩を含むゴムを主成分とする接着成分を含むことを特徴とする請求項１に記載のタイミングベルト。
【請求項５】
前記歯ゴムと前記歯布とが、前記隙間を介して互いに接着されていることを特徴とする請求項１に記載のタイミングベルト。
【請求項６】
歯部の表面を被覆する歯布と、針金により形成された隙間を有するメッシュ状の異音発生部材と、接着層とを、円筒状の外周面に所定のピッチで歯溝が設けられた予成型ドラムの表面に配して一体的にかつ連続的にコルゲート状に予成型させて歯布成型体とし、
前記歯布成型体の形状に応じて、前記歯部を形成するための歯ゴムを連続的に押圧させて前記歯布成型体と一体化して歯ゴム一体化物とする予成型工程と、
前記歯ゴム一体化物を所定の長さに切断して切断縁辺を互いに当接させて無端状とし、無端状の前記歯ゴム一体化物を、円筒状の外周面に所定のピッチで歯溝が設けられた成型金型に装着し、前記歯ゴム一体化物の外周部に心線を巻き付け、さらに背ゴム層の材料となる背ゴム材料を積層させてタイミングベルト中間体とし、
前記タイミングベルト中間体に加硫処理を施す加硫工程とを備えることを特徴とするタイミングベルトの製造方法。
【発明の詳細な説明】
【技術分野】
【０００１】
本発明は、自動車エンジン、一般産業用動力伝達装置等で用いられるタイミングベルトに関する。
【背景技術】
【０００２】
自動車や、一般産業用動力伝達装置の動力伝達に用いられるタイミングベルトには、長期間の使用により、歯布等の摩耗やクラックが生じる。そして、摩耗やクラックが進行すると、歯欠けや破断により動力の伝達に支障をきたすため、ある期間使用されたタイミングベルトは交換が必要となる。この交換が必要となる時期をユーザに知らせるため、ベルト寿命を予知する方法が知られている（例えば特許文献１）。
【０００３】
一方で、タイミングベルトの寿命を延ばすために、歯部の表面を金属繊維により保護することにより、耐摩耗性や耐熱性を高めたタイミングベルト（例えば特許文献２）、及びその製造方法（例えば特許文献３）が公開されている。
【特許文献１】特開平１１−２４７９５１号公報（図３）
【特許文献２】特開２００３−１３０１３８号公報（図１）
【特許文献３】特開２００３−１９１３４５号公報（図１）
【発明の開示】
【発明が解決しようとする課題】
【０００４】
タイミングベルトの歯部表面を保護して耐久性を高めても、長期に渡る使用の後には、表面の摩耗やクラック等により、ベルトには歯欠けが生じたり、切断してしまう。この場合、一般に破断のしばらく前から異音を生じるチェーンと異なり、タイミングベルトは、異音等のユーザへの警告なしに突然破断することがある。従って、ユーザにとっては、突然に修理が必要となる等、予測できない問題が生じることがある。
【０００５】
そこで本発明は、近い将来に歯欠け等により故障することを、ユーザに予知させるタイミングベルト及びタイミングベルトの製造方法を供給することを目的とする。
【課題を解決するための手段】
【０００６】
本発明のタイミングベルトは、歯部を形成する歯ゴムと、歯部の表面を被覆する歯布とを備え、歯ゴムと歯布との間には、針金により形成された隙間を有するメッシュ状であり、歯ゴムおよび歯布に接着された異音発生部材を備えている。そして、異音発生部材は、歯布の摩耗によりタイミングベルトの表面に露出すると、プーリと接触することにより異音を生じる。
【０００７】
タイミングベルトは、歯ゴムと歯布との間に、有機金属塩を含むゴムにより形成される接着層をさらに有していることが好ましい。また、歯ゴム及び歯布との接着性を向上させるため、異音発生部材が、有機金属塩を含むゴムにより接着処理を施されていることが望ましい。
【０００８】
接着層による、異音発生部材と歯ゴム、及び異音発生部材と歯布との接着性向上をより効果的にするため、異音発生部材はメッシュ状であることが望ましい。また、タイミングベルトが接着層を有しない場合、及び異音発生部材が有機金属塩を含むゴムにより接着処理を施されていない場合には、異音発生部材と歯ゴム、及び異音発生部材と歯布を接着させるために、歯ゴムは、有機金属塩を含むゴムを主成分とする接着成分を含むことが好ましい。また、歯ゴムと歯布とは、異音発生部材の隙間を介して互いに接着されていることが好ましい。
【０００９】
本発明のタイミングベルトの製造方法においては、歯部の表面を被覆する歯布と、針金により形成された隙間を有するメッシュ状の異音発生部材と、接着層とを、円筒状の外周面に所定のピッチで歯溝が設けられた予成型ドラムの表面に配して、一体的、連続的にコルゲート状に予成型させて歯布成型体とし、歯布成型体の形状に応じて、歯部を形成するための歯ゴムを連続的に押圧し、歯布成型体と一体化して歯ゴム一体化物とする予成型工程を備える。そして、さらに歯ゴム一体化物を、所定の長さに切断して切断縁辺を互いに当接させて無端状とし、無端状の歯ゴム一体化物を、円筒状の外周面に所定のピッチで歯溝が設けられた成型金型に装着し、歯ゴム一体化物の外周部に心線を巻き付け、さらに背ゴム層の材料となる背ゴム材料を積層させてタイミングベルト中間体とし、タイミングベルト中間体に加硫処理を施してタイミングベルトスラブを形成する加硫工程を備えている。
【発明の効果】
【００１０】
本発明によれば、近い将来において使用できなくなることをユーザに知らせるタイミングベルト、及びタイミングベルトの製造方法が得られる。
【発明を実施するための最良の形態】
【００１１】
以下、本発明におけるタイミングベルトの実施形態を、図面を参照して説明する。図１は、本実施形態のタイミングベルトを示す断面図である。
【００１２】
タイミングベルト１０は、歯部を形成する歯ゴム層１２と、歯ゴム層１２を保護するための歯布１４とを備えている。そして、歯ゴム層１２と歯布１４との間には、薄層状の異音発生部材１６と、異音発生部材１６を接着するための第１接着ゴム層１８、及び第２接着ゴム層２０とが設けられている。さらに、タイミングベルト１０には、背ゴム層２２が設けられており、歯ゴム層１２と背ゴム層２２との間には、心線２４が埋設されている。
【００１３】
歯ゴム層１２及び背ゴム層２２は、いずれも水素化ニトリルゴム（以下Ｈ−ＮＢＲという）により形成される。ただし、歯ゴム層１２及び背ゴム層２２とは、異なる材質により形成されても良い。また、歯布１４の素材は、アラミド繊維である。異音発生部材１６は、メッシュ状のステンレス（ＳＵＳ３０４）により形成されており、その厚さは０．０８４ｍｍである。そして、異音発生部材１６は、第１及び第２接着ゴム層１８、２０により覆われている。第１及び第２接着ゴム層１８、２０は、有機金属塩であるメタクリル酸亜鉛や、パーオキサイド系加硫剤、硫黄系加硫剤を含むＨ−ＮＢＲにより形成されている。異音発生部材１６と歯ゴム層１２、異音発生部材１６と歯布１４との接着性を高めるためにＨ−ＮＢＲに添加されるこれらの成分は、歯ゴム層１２に含まれていても良い。
【００１４】
異音発生部材１６はメッシュ状であるため、第１接着ゴム層１８と第２接着ゴム層２０とは、それぞれ完全に独立してはおらず、異音発生部材１６を構成する多数の針金（図示せず）の隙間において、互いに一体的である。なお、心線２４は、ガラス繊維により形成されている。
【００１５】
図２は、プーリに係合するタイミングベルト１０であって、長期間に渡り使用された例を示す断面図であり、歯布１４及び第１接着ゴム層１８が、摩耗により局部的に消失している。
【００１６】
タイミングベルト１０と金属製のプーリ２６とのかみ合いにおいて、異音発生部材１６がプーリ歯２８と接する場合があり、この接触により異音が発生する。さらに、メッシュ状の異音発生部材１６を形成するステンレスの針金が、プーリ歯２８との摩擦により破断すると、その針金の破断部位が、プーリ歯２８の表面を引っ掻くことにより、より大きい異音が発生する。また、歯布１４や第１接着ゴム層１８の摩耗が進行していなくても、クラックの発生等により、異音発生部材１６がタイミングベルト１０の表面に露出すると、やはり異音が生じる。
【００１７】
タイミングベルト１０の表面の摩耗が進行すると、歯部の強度が低下して、歯欠けや切断等の故障の原因となる。また、クラック等、摩耗以外の原因で異音発生部材１６がタイミングベルト１０の表面に露出した場合も、近い将来においてタイミングベルト１０は故障する可能性が高い。本実施形態では、タイミングベルト１０から異音が発生するので、何らかの原因によるタイミングベルト１０の故障をユーザに予知させることができる。
【００１８】
次に、タイミングベルト１０の製造方法について説明する。図３は、予成型を示す図である。異音発生部材１６は、ステンレス製であって伸びないため、加硫工程における加圧、加熱により歯ゴム層１２の材料や心線２４と一体的に成型することは困難である。従って、加硫工程に先立って、異音発生部材１６は、歯布１４、第１及び第２接着ゴム層の材料である接着ゴム層材料３０と共に、連続的にコルゲート状に予成型される。
【００１９】
歯布１４、異音発生部材１６、及び接着ゴム層材料３０は、重ねられた状態で予成型ドラム３２上に連続的に送り出される。予成型ドラム３２の表面には、所定のピッチで歯溝が設けられている。予成型ドラム３２は、矢印Ａの示す方向に回転する。歯付ローラ３４は、予成型ドラム３２と係合しながら矢印Ｂの方向に回転する。このため、積層された歯布１４、異音発生部材１６、及び接着ゴム層材料３０は、予成型ドラム３２と共に矢印Ａの示す方向に移動しながら、予成型ドラム３２と歯付ローラ３４とが係合する領域において、予成型ドラム３２の歯部３６と、歯付ローラ３４の歯部３８との協働作用により、一体的に、かつ連続的にコルゲート状に成型され、歯布成型体４２となる。
【００２０】
図４は、歯ゴム層材料の押圧工程を示す図である。
【００２１】
予成型ドラム３２上にある歯布成型体４２の表面を覆うように、板状の歯ゴム層材料４４が連続的に供給される。そして、矢印Ｃの示す方向に移動する押圧部材４０によって押圧された歯ゴム層材料４４は、変形して、歯ゴム層１２に近い形状となりながら、歯布成型体４２と一体化され、歯ゴム一体化物４３となり、予成型工程が終了する。
【００２２】
図５は、タイミングベルト中間体を示す図である。
【００２３】
歯ゴム一体化物４３は、所定の長さに切断された後に切断縁辺同士が当接されて無端状になる。無端状になった歯ゴム一体化物４３は、タイミングベルト１０の歯部を形成するための凹部５２が設けられた成型金型４６上に装着される。そして、歯ゴム層材料４４の外周部に心線２４が巻きつけられ、さらに心線２４の上に背ゴム層２２の材料である背ゴム材料４８が積層されることにより、タイミングベルト中間体５０が形成される。
【００２４】
成型金型４６の表面にあるタイミングベルト中間体５０は、矢印Ｄの方向に加圧され、同時に加熱される（加硫工程）。その結果、タイミングベルト中間体５０の構成要素のうちで、主として歯布成型体４２と歯ゴム層材料４４及び背ゴム材料４８が変形して、タイミングベルト中間体５０が、成型金型４６の表面に完全に接するように、すなわちタイミングベルト１０のスラブを形成するように、成型が行われる。
【００２５】
加硫工程においては、歯布成型体４２を形成していた接着ゴム層材料３０の一部が、歯ゴム層材料４４側から、メッシュ状の異音発生部材１６の隙間を通り、歯布１４側に流動する（図１及び３を参照）。そして、歯布１４側に流動した接着ゴム層材料３０により第１接着ゴム層１８が形成され、歯ゴム層１２側に留まった接着ゴム層材料３０により第２接着ゴム層２０が形成される（図１及び３を参照）。なお、加硫工程は、ステンレス製の異音発生部材１６を含む歯ゴム一体化物４３を用いる点以外は、従来公知の技術に基づく。
【００２６】
加硫工程により、タイミングベルト１０と同一の断面形状となったタイミングベルトスラブ５０は、冷却された後に、背面の研磨処理等が施される。そして、所定の幅となるように輪切り状に切断されることにより、タイミングベルト１０が製造される。
【００２７】
次に、発生した異音の検出について説明する。図６は、タイミングベルト寿命予知システム５５を示す概略図である。
【００２８】
タイミングベルト寿命予知システム５５は、マイクロフォン５６、ＣＰＵ５８、及び警告ランプ５９を含む。タイミングベルト１０から生じる音は、マイクロフォン５６によって検出される。マイクロフォン５６は、タイミングベルト１０の作動時には常にタイミングベルト１０からの音を検出している。そして、マイクロフォン５６によって検出された音データは、ＣＰＵ５８に送られる。
【００２９】
タイミングベルト１０の摩耗により、異音発生部材１６が露出すると、露出した異音発生部材１６とプーリ２６との接触により大きい音が生じる。この音は、タイミングベルト１０が正常に作動し、プーリ２６と異音発生部材１６との接触がない場合に生じる音に比べると音圧が高い音となる。ＣＰＵ５８には、予め、異音を判断するための音圧の上限値が設定されており、その上限値よりも高い音圧の音データが入力されると、その音を異音であると判断する。
【００３０】
タイミングベルト１０からの音が異音であると判断されると、警告ランプ５９を点灯させる信号が、ＣＰＵ５８から警告ランプ５９に送信される。その結果、警告ランプ５９が点灯し、ユーザは、タイミングベルト１０が近い将来において破断するため、タイミングベルト１０の交換が必要であることを知らされる。
【００３１】
以上のように、本実施形態によれば、歯布１４と歯ゴム層１２との間に異音発生部材１６を備えたタイミングベルト１０が製造される。そして、タイミングベルト１０を用いたタイミングベルトの寿命予知システムにより、ユーザは、タイミングベルト１０の破断及び交換必要性を予知できる。
【００３２】
異音発生部材１６が、成型性の良い材質である場合、予成型を実施せずに、加硫工程において異音発生部材１６を所定の形状に成型する汎用的な製造方法によって、タイミングベルト１０が製造されても良い。
【００３３】
異音発生部材の厚さは、０．０５ｍｍ〜０．２ｍｍであることが好ましい。この範囲の下限である０．０５ｍｍよりも薄い場合、ベルト表面の摩耗等により、異音発生部材が瞬時に切断されてしまい、異音を生じない可能性がある。また、上限の０．２ｍｍよりも厚い場合、タイミングベルト製造時の成型性が低下したり、ベルト完成後のベルトの柔軟性が低下する場合がある。
【図面の簡単な説明】
【００３４】
【図１】本実施形態のタイミングベルトを示す断面図である。
【図２】プーリに係合する本実施形態のタイミングベルトを示す断面図である。
【図３】予成型を示す図である。
【図４】歯ゴム層材料の押圧工程を示す図である。
【図５】タイミングベルト中間体を示す図である。
【図６】タイミングベルト寿命予知システムを示す概略図である。
【符号の説明】
【００３５】
１０  タイミングベルト
１２  歯ゴム層（歯ゴム）
１４  歯布
１６  異音発生部材
１８  第１接着ゴム層（接着層）
２０  第２接着ゴム層（接着層）
２４  心線
３２  予成型ドラム
４２  歯布成型体
４３  歯ゴム一体化物
５０  タイミングベルト中間体
５５  タイミングベルト寿命予知システム
５６  マイクロフォン（音センサ）
５８  ＣＰＵ（異音判断手段）
５９  ランプ（警告手段）
【図１】
2008286402.tif 000003
【図２】
2008286402.tif 000004
【図３】
2008286402.tif 000005
【図４】
2008286402.tif 000006
【図５】
2008286402.tif 000007
【図６】
2008286402.tif 000008